【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ユーザ機器、すなわちＵＥ、が、１つまたは複数のトランスポートブロックを受信することと、
前記１つまたは複数のトランスポートブロックに関連する制御チャネルタイプを判断することと、
前記ＵＥが、前記制御チャネルタイプに少なくとも部分的に基づいて、前記１つまたは複数のトランスポートブロックのうちの少なくとも１つのトランスポートブロックの復号スキップを実行することを選択することと
を備え、前記復号スキップは、
ハイブリッド自動再送要求、すなわちＨＡＲＱ、肯定応答、すなわちＡＣＫ、決定を遅延させることと、
前記１つまたは複数のトランスポートブロックの復号をすべてスキップすることと、
低複雑度復号アルゴリズムを使用するベストエフォート手法を使用して前記１つまたは複数のトランスポートブロックを復号しようと試みることと
のうちの１つまたは複数を備える、ワイヤレス通信の方法。
【請求項２】
前記制御チャネルタイプは、
物理ダウンリンク制御チャネル、すなわちＰＤＣＣＨ、と、
拡張ＰＤＣＣＨ、すなわちＥＰＤＣＣＨ、と
のうちの１つを備える、請求項１に記載の方法。
【請求項３】
前記ＵＥは、前記制御チャネルタイプが前記ＥＰＤＣＣＨを備えるとき、前記復号スキップを実行することを選択する、
請求項２に記載の方法。
【請求項４】
前記ＵＥは、前記制御チャネルタイプが前記ＰＤＣＣＨを備えるとき、前記復号スキップを実行しないことを選択する、
請求項２に記載の方法。
【請求項５】
前記ＵＥは、前記ＥＰＤＣＣＨを監視するように構成される、
請求項４に記載の方法。
【請求項６】
復号スキップを実行することを前記選択することは、前記１つまたは複数のトランスポートブロックのうちの少なくとも１つのトランスポートブロックのブロックサイズがブロックサイズしきい値を超えることに少なくとも部分的にさらに基づく、
請求項１に記載の方法。
【請求項７】
ユーザ機器、すなわちＵＥ、が１つまたは複数のトランスポートブロックを受信するための手段と、
前記１つまたは複数のトランスポートブロックに関連する制御チャネルタイプを判断するための手段と、
前記ＵＥが、前記制御チャネルタイプに少なくとも部分的に基づいて、前記１つまたは複数のトランスポートブロックのうちの少なくとも１つのトランスポートブロックの復号スキップを実行することを選択するための手段と
を備え、前記復号スキップは、
ハイブリッド自動再送要求、すなわちＨＡＲＱ、肯定応答、すなわちＡＣＫ、決定を遅延させるための手段と、
前記１つまたは複数のトランスポートブロックの復号をすべてスキップするための手段と、
低複雑度復号アルゴリズムを使用するベストエフォート手法を使用して前記１つまたは複数のトランスポートブロックを復号しようと試みるための手段と
のうちの１つまたは複数を備える、ワイヤレス通信のために構成された装置。
【請求項８】
前記制御チャネルタイプは、
物理ダウンリンク制御チャネル、すなわちＰＤＣＣＨ、と、
拡張ＰＤＣＣＨ、すなわちＥＰＤＣＣＨ、と
のうちの１つを備える、請求項７に記載の装置。
【請求項９】
前記ＵＥは、前記制御チャネルタイプが前記ＥＰＤＣＣＨを備えるとき、前記復号スキップを実行することを選択する、
請求項８に記載の装置。
【請求項１０】
前記ＵＥは、前記制御チャネルタイプが前記ＰＤＣＣＨを備えるとき、前記復号スキップを実行しないことを選択する、
請求項８に記載の装置。
【請求項１１】
前記ＵＥは、前記ＥＰＤＣＣＨを監視するように構成された、
請求項１０に記載の装置。
【請求項１２】
復号スキップを実行することを選択するための前記手段は、前記１つまたは複数のトランスポートブロックのうちの少なくとも１つのトランスポートブロックのブロックサイズがブロックサイズしきい値を超えることに少なくとも部分的にさらに基づく、請求項７に記載の装置。
【請求項１３】
請求項１乃至６のいずれか１項に記載の方法のすべてのステップを実装するようにコンピュータ実行可能なプログラム命令を備える、コンピュータプログラム。
【手続補正２】
【補正対象書類名】明細書
【補正対象項目名】０１１５
【補正方法】変更
【補正の内容】
【０１１５】
[00139]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
ユーザ機器（ＵＥ）が、１つまたは複数のトランスポートブロックを受信することと、
前記１つまたは複数のトランスポートブロックに関連する制御チャネルタイプを判断することと、
前記ＵＥが、前記制御チャネルタイプに少なくとも部分的に基づいて、前記１つまたは複数のトランスポートブロックのうちの少なくとも１つのトランスポートブロックの復号スキップを実行することを選択することとを備える、ワイヤレス通信の方法。
［Ｃ２］
前記制御チャネルタイプは、
物理ダウンリンク制御チャネル（ＰＤＣＣＨ）と、
拡張ＰＤＣＣＨ（ＥＰＤＣＣＨ）とのうちの１つを備える、Ｃ１に記載の方法。
［Ｃ３］
前記ＵＥは、前記制御チャネルタイプが前記ＥＰＤＣＣＨを備えるとき、前記復号スキップを実行することを選択する、Ｃ２に記載の方法。
［Ｃ４］
前記ＵＥは、前記制御チャネルタイプが前記ＰＤＣＣＨを備えるとき、前記復号スキップを実行しないことを選択する、Ｃ２に記載の方法。
［Ｃ５］
前記ＵＥは、前記ＥＰＤＣＣＨを監視するように構成される、Ｃ４に記載の方法。
［Ｃ６］
復号スキップを実行することを前記選択することは、前記１つまたは複数のトランスポートブロックのうちの少なくとも１つのトランスポートブロックのブロックサイズがブロックサイズしきい値を超えることに少なくとも部分的にさらに基づく、Ｃ１に記載の方法。
［Ｃ７］
前記復号スキップは、
ハイブリッド自動再送要求（ＨＡＲＱ）肯定応答（ＡＣＫ）決定を遅延させることと、
前記１つまたは複数のトランスポートブロックの復号をすべてスキップすることと、
ベストエフォート手法を使用して前記１つまたは複数のトランスポートブロックを復号しようと試みることとのうちの１つまたは複数を備える、Ｃ１に記載の方法。
［Ｃ８］
基地局において、ユーザ機器（ＵＥ）に通信するための１つまたは複数のトランスポートブロックに関連する制御チャネルタイプを判断することと、
前記１つまたは複数のトランスポートブロックのうちの少なくとも１つのトランスポートブロックのサイズを制限すべきかどうかを判断することと、ここで、前記判断は、前記制御チャネルタイプに少なくとも部分的に基づく、
前記判断に基づいて前記１つまたは複数のトランスポートブロックを前記ＵＥに送信することとを備える、ワイヤレス通信の方法。
［Ｃ９］
前記制御チャネルタイプは、
物理ダウンリンク制御チャネル（ＰＤＣＣＨ）と、
拡張ＰＤＣＣＨ（ＥＰＤＣＣＨ）とのうちの１つを備える、Ｃ８に記載の方法。
［Ｃ１０］
前記基地局は、第１のサブフレーム中で前記ＥＰＤＣＣＨに関連する前記１つまたは複数のトランスポートブロックのための前記少なくとも１つのトランスポートブロックの前記サイズを制限することを判断し、
前記基地局は、第２のサブフレーム中で前記ＰＤＣＣＨに関連する前記１つまたは複数のトランスポートブロックのための前記少なくとも１つのトランスポートブロックの前記サイズを制限しないことを判断する、Ｃ９に記載の方法。
［Ｃ１１］
前記基地局は、前記ＵＥが前記ＥＰＤＣＣＨを監視するように構成されたとき、前記ＰＤＣＣＨに関連する前記１つまたは複数のトランスポートブロックのための前記少なくとも１つのトランスポートブロックの前記サイズを制限することを判断する、Ｃ９に記載の方法。
［Ｃ１２］
前記判断することは、前記ＵＥの能力が前記サイズの制限を必要とするという指示に少なくとも部分的にさらに基づく、Ｃ８に記載の方法。
［Ｃ１３］
ユーザ機器（ＵＥ）が１つまたは複数のトランスポートブロックを受信することと、
前記ＵＥは、前記１つまたは複数のトランスポートブロックのうちの少なくとも１つのトランスポートブロックのブロックサイズがブロックサイズしきい値を超えるかどうかのサイズ判断を実行することと、
前記ＵＥは、前記少なくとも１つのトランスポートブロックのタイミングアドバンスがタイミングアドバンスしきい値を超えるかどうかのタイミング判断を実行することと、
前記サイズ判断と前記タイミング判断との結果に少なくとも部分的に応答して、前記ＵＥが、前記少なくとも１つのトランスポートブロックの復号スキップを実行すべきかどうかの復号スキップ決定を行うこととを備える、ワイヤレス通信の方法。
［Ｃ１４］
前記少なくとも１つのトランスポートブロックの初期ハイブリッド自動再送要求（ＨＡＲＱ）送信に関して、前記ＵＥによって行われた復号スキップ決定に少なくとも部分的に応答して、前記ＵＥが、そのトランスポートブロックのすべてのＨＡＲＱ再送信のための前記復号スキップ決定を制御することをさらに含む、Ｃ１３に記載の方法。
［Ｃ１５］
前記少なくとも１つのトランスポートブロックのいずれかの他のＨＡＲＱ送信に関して、前記ＵＥによって行われた復号スキップ決定に少なくとも部分的に応答して、前記ＵＥが、そのトランスポートブロックのすべてのＨＡＲＱ送信のための前記復号スキップ決定を制御することをさらに含む、Ｃ１３に記載の方法。
［Ｃ１６］
前記ＵＥが、前記少なくとも１つのトランスポートブロックの各ＨＡＲＱ送信のための前記復号スキップ決定を個別に制御することをさらに含む、Ｃ１３に記載の方法。
［Ｃ１７］
前記ＵＥが、ＨＡＲＱ  ＡＣＫタイミングｎ＋ｋを有するＴＤＤダウンリンクおよびアップリンク構成の場合のｋの値を判断することと、
ダウンリンクサブフレームの全セット中のいずれかのダウンリンクサブフレームがｋ＝４を示すかどうかに基づいて、前記ＵＥが、ダウンリンクサブフレームの前記全セット中のすべてのダウンリンクサブフレームに復号スキップ決定プロセスを適用すべきかどうかを判断することとをさらに含む、Ｃ１３に記載の方法。
［Ｃ１８］
前記ＵＥが、ＨＡＲＱ  ＡＣＫタイミングｎ＋ｋを有するＴＤＤダウンリンクおよびアップリンク構成の場合のｋの値を判断することと、
ダウンリンクサブフレームの全セット中の各ダウンリンクサブフレームがｋ＝４を示すかどうかに基づいて、前記ＵＥが、各ダウンリンクサブフレームに復号スキップ決定プロセスを個々に適用すべきかどうかを選択的に判断することとをさらに含む、Ｃ１３に記載の方法。
［Ｃ１９］
前記ＵＥが、前記復号スキップ決定に応答して緩和ＨＡＲＱタイミング決定を行うことであって、前記緩和ＨＡＲＱタイミング決定が、前記ＵＥに、少なくとも次のＨＡＲＱ送信機会までＡＣＫ／ＮＡＫ送信を遅延させる、緩和ＨＡＲＱタイミング決定を行うことをさらに含む、Ｃ１３に記載の方法。
［Ｃ２０］
前記ＵＥが復号をスキップしたサブフレーム中で受信されたサンプルを廃棄することによって、前記ＵＥがソフトバッファ管理を実行することをさらに含む、Ｃ１３に記載の方法。
［Ｃ２１］
前記ＵＥが復号をスキップしたサブフレーム中で受信されたサンプルを記憶することによって、前記ＵＥがソフトバッファ管理を実行することをさらに含む、Ｃ１３に記載の方法。
［Ｃ２２］
ソフトバッファオーバーブッキングが存在するかどうかの判断を行うことによって、前記ＵＥがソフトバッファ管理を実行することと、
前記判断に応答して前記ＵＥが復号をスキップしたサブフレーム中で受信されたサンプルを選択的に廃棄することとをさらに含む、Ｃ１３に記載の方法。
［Ｃ２３］
２つ以上のタイミングアドバンスグループの存在下でコンポーネントキャリアのためのタイミングアドバンス選択を実行することであって、前記コンポーネントキャリアが属する前記グループの前記タイミングアドバンスが選択される、タイミングアドバンス選択を実行することをさらに含む、Ｃ１３に記載の方法。
［Ｃ２４］
２つ以上のタイミングアドバンスグループの存在下でコンポーネントキャリアのためのタイミングアドバンス選択を実行することであって、すべてのコンポーネントキャリアの最大タイミングアドバンスが選択される、タイミングアドバンス選択を実行することをさらに含む、Ｃ１３に記載の方法。
［Ｃ２５］
前記サイズ判断は、ダウンリンク制御情報ごとにトランスポートブロックサイズ制限を実行し、前記復号スキップ決定は、２つのトランスポートブロックのサイズの和に基づいて行われる、Ｃ１３に記載の方法。
［Ｃ２６］
前記サイズ判断がダウンリンク制御情報ごとにトランスポートブロックサイズ制限を実行し、前記復号スキップ決定が４つのトランスポートブロックのサイズの和に基づいて行われる、Ｃ１３に記載の方法。
［Ｃ２７］
前記サイズ判断は、ＵＥカテゴリー依存ベースでトランスポートブロックサイズ制限を実行する、Ｃ１３に記載の方法。
［Ｃ２８］
前記サイズ判断は、サブフレーム中のトランスポートブロックのサイズの和に基づいてトランスポートブロックサイズ制限を実行する、Ｃ１３に記載の方法。
［Ｃ２９］
前記サイズ判断は、サブフレーム中の各トランスポートブロックについてトランスポートブロックサイズ制限を個々に実行する、Ｃ１３に記載の方法。
［Ｃ３０］
前記ＵＥは、前記ＵＥが前記少なくとも１つのトランスポートブロックをそこから受信した発展型ノードＢ（ｅＮＢ）に、前記少なくとも１つのトランスポートブロックの前記タイミングアドバンスがいつ前記タイミングアドバンスしきい値を超えるかをシグナリングする、Ｃ１３に記載の方法。
［Ｃ３１］
前記ＵＥは、無線リソース制御（ＲＲＣ）レイヤ、媒体アクセス制御（ＭＡＣ）レイヤ、または物理（ＰＨＹ）レイヤのうちの少なくとも１つによって前記ｅＮＢにシグナリングする、Ｃ３０に記載の方法。
［Ｃ３２］
ユーザ機器（ＵＥ）が１つまたは複数のトランスポートブロックを受信するための手段と、
前記１つまたは複数のトランスポートブロックに関連する制御チャネルタイプを判断するための手段と、
前記ＵＥが、前記制御チャネルタイプに少なくとも部分的に基づいて、前記１つまたは複数のトランスポートブロックのうちの少なくとも１つのトランスポートブロックの復号スキップを実行することを選択するための手段とを備える、ワイヤレス通信のために構成された装置。
［Ｃ３３］
前記制御チャネルタイプは、
物理ダウンリンク制御チャネル（ＰＤＣＣＨ）と、
拡張ＰＤＣＣＨ（ＥＰＤＣＣＨ）とのうちの１つを備える、Ｃ３２に記載の装置。
［Ｃ３４］
前記ＵＥは、前記制御チャネルタイプが前記ＥＰＤＣＣＨを備えるとき、前記復号スキップを実行することを選択する、Ｃ３３に記載の装置。
［Ｃ３５］
前記ＵＥは、前記制御チャネルタイプが前記ＰＤＣＣＨを備えるとき、前記復号スキップを実行しないことを選択する、Ｃ３３に記載の装置。
［Ｃ３６］
前記ＵＥは、前記ＥＰＤＣＣＨを監視するように構成された、Ｃ３５に記載の装置。
［Ｃ３７］
復号スキップを実行することを選択するための前記手段は、前記１つまたは複数のトランスポートブロックのうちの少なくとも１つのトランスポートブロックのブロックサイズがブロックサイズしきい値を超えることに少なくとも部分的にさらに基づく、Ｃ３２に記載の装置。
［Ｃ３８］
前記復号スキップは、
ハイブリッド自動再送要求（ＨＡＲＱ）肯定応答（ＡＣＫ）決定を遅延させるための手段と、
前記１つまたは複数のトランスポートブロックの復号をすべてスキップするための手段と、
ベストエフォート手法を使用して前記１つまたは複数のトランスポートブロックを復号しようと試みるための手段とのうちの１つまたは複数を備える、Ｃ３２に記載の装置。
［Ｃ３９］
基地局において、ユーザ機器（ＵＥ）に通信するための１つまたは複数のトランスポートブロックに関連する制御チャネルタイプを判断するための手段と、
前記１つまたは複数のトランスポートブロックのうちの少なくとも１つのトランスポートブロックのサイズを制限すべきかどうかを判断するための手段と、ここで、前記判断は、前記制御チャネルタイプに少なくとも部分的に基づく、
前記判断に基づいて前記１つまたは複数のトランスポートブロックを前記ＵＥに送信するための手段とを備える、ワイヤレス通信のために構成された装置。
［Ｃ４０］
前記制御チャネルタイプは、
物理ダウンリンク制御チャネル（ＰＤＣＣＨ）と、
拡張ＰＤＣＣＨ（ＥＰＤＣＣＨ）とのうちの１つを備える、Ｃ３９に記載の装置。
［Ｃ４１］
前記基地局は、第１のサブフレーム中で前記ＥＰＤＣＣＨに関連する前記１つまたは複数のトランスポートブロックのための前記少なくとも１つのトランスポートブロックの前記サイズを制限することを判断し、
前記基地局は、第２のサブフレーム中で前記ＰＤＣＣＨに関連する前記１つまたは複数のトランスポートブロックのための前記少なくとも１つのトランスポートブロックの前記サイズを制限しないことを判断する、Ｃ４０に記載の装置。
［Ｃ４２］
前記基地局は、前記ＵＥが前記ＥＰＤＣＣＨを監視するように構成されたとき、前記ＰＤＣＣＨに関連する前記１つまたは複数のトランスポートブロックのための前記少なくとも１つのトランスポートブロックの前記サイズを制限することを判断する、Ｃ４０に記載の装置。
［Ｃ４３］
前記判断するための手段は、前記ＵＥの能力が前記サイズの制限を必要とするという指示に少なくとも部分的にさらに基づく、Ｃ３９に記載の装置。
［Ｃ４４］
ユーザ機器（ＵＥ）が１つまたは複数のトランスポートブロックを受信するための手段と、
前記ＵＥは、前記１つまたは複数のトランスポートブロックのうちの少なくとも１つのトランスポートブロックのブロックサイズがブロックサイズしきい値を超えるかどうかのサイズ判断を実行するための手段と、
前記ＵＥは、前記少なくとも１つのトランスポートブロックのタイミングアドバンスがタイミングアドバンスしきい値を超えるかどうかのタイミング判断を実行するための手段と、
前記サイズ判断と前記タイミング判断との結果に少なくとも部分的に応答して、前記ＵＥが、前記少なくとも１つのトランスポートブロックの復号スキップを実行すべきかどうかの復号スキップ決定を行うための手段とを備える、ワイヤレス通信のために構成された装置。
［Ｃ４５］
前記少なくとも１つのトランスポートブロックの初期ハイブリッド自動再送要求（ＨＡＲＱ）送信に関して、前記ＵＥによって行われた復号スキップ決定に少なくとも部分的に応答して、前記ＵＥが、そのトランスポートブロックのすべてのＨＡＲＱ再送信のための前記復号スキップ決定を制御するための手段をさらに含む、Ｃ４４に記載の装置。
［Ｃ４６］
前記少なくとも１つのトランスポートブロックのいずれかの他のＨＡＲＱ送信に関して、前記ＵＥによって行われた復号スキップ決定に少なくとも部分的に応答して、前記ＵＥが、そのトランスポートブロックのすべてのＨＡＲＱ送信のための前記復号スキップ決定を制御するための手段をさらに含む、Ｃ４４に記載の装置。
［Ｃ４７］
前記ＵＥが、前記少なくとも１つのトランスポートブロックの各ＨＡＲＱ送信のための前記復号スキップ決定を個別に制御するための手段をさらに含む、Ｃ４４に記載の装置。
［Ｃ４８］
前記ＵＥが、ＨＡＲＱ  ＡＣＫタイミングｎ＋ｋを有するＴＤＤダウンリンクおよびアップリンク構成の場合のｋの値を判断するための手段と、
ダウンリンクサブフレームの全セット中のいずれかのダウンリンクサブフレームがｋ＝４を示すかどうかに基づいて、前記ＵＥが、ダウンリンクサブフレームの前記全セット中のすべてのダウンリンクサブフレームに復号スキップ決定プロセスを適用すべきかどうかを判断するための手段とをさらに含む、Ｃ４４に記載の装置。
［Ｃ４９］
前記ＵＥが、ＨＡＲＱ  ＡＣＫタイミングｎ＋ｋを有するＴＤＤダウンリンクおよびアップリンク構成の場合のｋの値を判断するための手段と、
ダウンリンクサブフレームの全セット中の各ダウンリンクサブフレームがｋ＝４を示すかどうかに基づいて、前記ＵＥが、各ダウンリンクサブフレームに復号スキップ決定プロセスを個々に適用すべきかどうかを選択的に判断するための手段とをさらに含む、Ｃ４４に記載の装置。
［Ｃ５０］
前記ＵＥが、前記復号スキップ決定に応答して緩和ＨＡＲＱタイミング決定を行うための手段であって、前記緩和ＨＡＲＱタイミング決定が、前記ＵＥに、少なくとも次のＨＡＲＱ送信機会までＡＣＫ／ＮＡＫ送信を遅延させる、緩和ＨＡＲＱタイミング決定を行うための手段をさらに含む、Ｃ４４に記載の装置。
［Ｃ５１］
前記ＵＥが復号をスキップしたサブフレーム中で受信されたサンプルを廃棄することによって、前記ＵＥがソフトバッファ管理を実行するための手段をさらに含む、Ｃ４４に記載の装置。
［Ｃ５２］
前記ＵＥが復号をスキップしたサブフレーム中で受信されたサンプルを記憶することによって、前記ＵＥがソフトバッファ管理を実行するための手段をさらに含む、Ｃ４４に記載の装置。
［Ｃ５３］
ソフトバッファオーバーブッキングが存在するかどうかの判断を行うことによって、前記ＵＥがソフトバッファ管理を実行するための手段と、
前記判断に応答して前記ＵＥが復号をスキップしたサブフレーム中で受信されたサンプルを選択的に廃棄することとをさらに含む、Ｃ４４に記載の装置。
［Ｃ５４］
２つ以上のタイミングアドバンスグループの存在下でコンポーネントキャリアのためのタイミングアドバンス選択を実行するための手段であって、前記コンポーネントキャリアが属する前記グループの前記タイミングアドバンスが選択される、タイミングアドバンス選択を実行するための手段をさらに含む、Ｃ４４に記載の装置。
［Ｃ５５］
２つ以上のタイミングアドバンスグループの存在下でコンポーネントキャリアのためのタイミングアドバンス選択を実行するための手段であって、すべてのコンポーネントキャリアの最大タイミングアドバンスが選択される、タイミングアドバンス選択を実行するための手段をさらに含む、Ｃ４４に記載の装置。
［Ｃ５６］
前記サイズ判断を前記実行するための手段は、ダウンリンク制御情報ごとにトランスポートブロックサイズ制限を実行し、前記復号スキップ決定が２つのトランスポートブロックのサイズの和に基づいて行われる、Ｃ４４に記載の装置。
［Ｃ５７］
前記サイズ判断を前記実行するための手段は、ダウンリンク制御情報ごとにトランスポートブロックサイズ制限を実行し、前記復号スキップ決定が４つのトランスポートブロックのサイズの和に基づいて行われる、Ｃ４４に記載の装置。
［Ｃ５８］
前記サイズ判断を前記実行するための手段は、ＵＥカテゴリー依存ベースでトランスポートブロックサイズ制限を実行する、Ｃ４４に記載の装置。
［Ｃ５９］
前記サイズ判断を前記実行するための手段は、サブフレーム中のトランスポートブロックのサイズの和に基づいてトランスポートブロックサイズ制限を実行する、Ｃ４４に記載の装置。
［Ｃ６０］
前記サイズ判断を前記実行するための手段は、サブフレーム中の各トランスポートブロックについてトランスポートブロックサイズ制限を個々に実行する、Ｃ４４に記載の装置。
［Ｃ６１］
前記ＵＥは、前記ＵＥが前記少なくとも１つのトランスポートブロックをそこから受信した発展型ノードＢ（ｅＮＢ）に、前記少なくとも１つのトランスポートブロックの前記タイミングアドバンスがいつ前記タイミングアドバンスしきい値を超えるかをシグナリングするための手段をさらに含む、Ｃ４４に記載の装置。
［Ｃ６２］
シグナリングするための前記手段は、媒体アクセス制御（ＭＡＣ）レイヤまたは物理（ＰＨＹ）レイヤのうちの少なくとも１つを介して前記シグナリングすることを実行する、Ｃ６１に記載の装置。
［Ｃ６３］
ワイヤレスネットワークにおけるワイヤレス通信のためのコンピュータプログラム製品であって、
プログラムコードを記録した非一時的コンピュータ可読媒体を備え、前記プログラムコードが、
少なくとも１つのコンピュータに、ユーザ機器（ＵＥ）が１つまたは複数のトランスポートブロックを受信することを行わせるためのプログラムコードと、
少なくとも１つのコンピュータに、前記１つまたは複数のトランスポートブロックに関連する制御チャネルタイプを判断させるためのプログラムコードと、
少なくとも１つのコンピュータに、前記ＵＥが、前記制御チャネルタイプに少なくとも部分的に基づいて、前記１つまたは複数のトランスポートブロックのうちの少なくとも１つのトランスポートブロックの復号スキップを実行することを選択することを行わせるためのプログラムコードとを含む、コンピュータプログラム製品。
［Ｃ６４］
ワイヤレスネットワークにおけるワイヤレス通信のためのコンピュータプログラム製品であって、
プログラムコードを記録した非一時的コンピュータ可読媒体を備え、前記プログラムコードは、
少なくとも１つのコンピュータに、基地局において、ユーザ機器（ＵＥ）に通信するための１つまたは複数のトランスポートブロックに関連する制御チャネルタイプを判断させるためのプログラムコードと、
少なくとも１つのコンピュータに、前記１つまたは複数のトランスポートブロックのうちの少なくとも１つのトランスポートブロックのサイズを制限すべきかどうかを判断させるためのプログラムコードであって、前記判断が前記制御チャネルタイプに少なくとも部分的に基づく、制限すべきかどうかを判断させるためのプログラムコードと、
少なくとも１つのコンピュータに、前記判断に基づいて前記１つまたは複数のトランスポートブロックを前記ＵＥに送信させるためのプログラムコードとを含む、コンピュータプログラム製品。
［Ｃ６５］
ワイヤレスネットワークにおけるワイヤレス通信のためのコンピュータプログラム製品であって、
プログラムコードを記録した非一時的コンピュータ可読媒体を備え、前記プログラムコードは、
少なくとも１つのコンピュータに、ユーザ機器（ＵＥ）が１つまたは複数のトランスポートブロックを受信することを行わせるためのプログラムコードと、
少なくとも１つのコンピュータに、前記ＵＥが、前記１つまたは複数のトランスポートブロックのうちの少なくとも１つのトランスポートブロックのブロックサイズがブロックサイズしきい値を超えるかどうかのサイズ判断を実行することを行わせるためのプログラムコードと、
少なくとも１つのコンピュータに、前記ＵＥが、前記少なくとも１つのトランスポートブロックのタイミングアドバンスがタイミングアドバンスしきい値を超えるかどうかのタイミング判断を実行することを行わせるためのプログラムコードと、
少なくとも１つのコンピュータに、前記ＵＥが、前記サイズ判断と前記タイミング判断との結果に少なくとも部分的に応答して前記少なくとも１つのトランスポートブロックの復号スキップを実行すべきかどうかの復号スキップ決定を行うことを行わせるためのプログラムコードとを含む、コンピュータプログラム製品。
［Ｃ６６］
少なくとも１つのプロセッサと、
前記少なくとも１つのプロセッサに結合されたメモリとを備える、ワイヤレス通信のために構成された装置であって、
前記少なくとも１つのプロセッサは、
ユーザ機器（ＵＥ）が１つまたは複数のトランスポートブロックを受信することと、
前記１つまたは複数のトランスポートブロックに関連する制御チャネルタイプを判断することと、
前記ＵＥが、前記制御チャネルタイプに少なくとも部分的に基づいて、前記１つまたは複数のトランスポートブロックのうちの少なくとも１つのトランスポートブロックの復号スキップを実行することを選択することとを行うように構成された、装置。
［Ｃ６７］
少なくとも１つのプロセッサと、
前記少なくとも１つのプロセッサに結合されたメモリとを備える、ワイヤレス通信のために構成された装置であって、
前記少なくとも１つのプロセッサは、
基地局において、ユーザ機器（ＵＥ）に通信するための１つまたは複数のトランスポートブロックに関連する制御チャネルタイプを判断することと、
前記１つまたは複数のトランスポートブロックのうちの少なくとも１つのトランスポートブロックのサイズを制限すべきかどうかを判断することであって、前記判断が前記制御チャネルタイプに少なくとも部分的に基づく、制限すべきかどうかを判断することと、
前記判断に基づいて前記１つまたは複数のトランスポートブロックを前記ＵＥに送信することとを行うように構成された、装置。
［Ｃ６８］
少なくとも１つのプロセッサと、
前記少なくとも１つのプロセッサに結合されたメモリとを備える、ワイヤレス通信のために構成された装置であって、
前記少なくとも１つのプロセッサは、
ユーザ機器（ＵＥ）が１つまたは複数のトランスポートブロックを受信することと、
前記ＵＥは、前記１つまたは複数のトランスポートブロックのうちの少なくとも１つのトランスポートブロックのブロックサイズがブロックサイズしきい値を超えるかどうかのサイズ判断を実行することと、
前記ＵＥは、前記少なくとも１つのトランスポートブロックのタイミングアドバンスがタイミングアドバンスしきい値を超えるかどうかのタイミング判断を実行することと、
前記サイズ判断と前記タイミング判断との結果に少なくとも部分的に応答して、前記ＵＥが、前記少なくとも１つのトランスポートブロックの復号スキップを実行すべきかどうかの復号スキップ決定を行うこととを行うように構成された、装置。